【手続補正書】
【提出日】平成25年9月25日(2013.9.25)
【手続補正１】
【補正対象書類名】明細書
【補正対象項目名】０００８
【補正方法】変更
【補正の内容】
【０００８】
前記課題を解決するために、請求項１に記載のネイルプリント装置は、
指が載置される指載置手段と、
この指載置手段上に載置された指を撮影して指爪画像を得る撮影手段と、
この撮影手段によって取得された前記指爪画像の輪郭線の座標値とこの指爪画像に含まれる爪領域の座標値とを対応付けて記憶する第１の記憶部と、
前記爪領域に印刷を施す印刷手段と、
前記指載置手段上に載置された指の輪郭線を指の非印刷側から検出する指位置検出手段と、
前記指位置検出手段によって検出された指の輪郭線の座標値を記憶する第２の記憶部と、
前記印刷手段による前記爪領域への印刷を制御する制御手段と、を備えており、
前記制御手段は、
前記第１の記憶部に記憶されている前記指爪画像の輪郭線の座標値と前記第２の記憶部に記憶されている指の輪郭線の座標値とを比較して、両者が所定値以上ずれたか否かを判定する印刷可否判定手段を含み、
前記制御手段は、前記印刷可否判定手段により両者が所定値以上ずれたと判定された場合に、前記印刷手段による前記爪領域への印刷を停止させることを特徴とする。
【手続補正２】
【補正対象書類名】明細書
【補正対象項目名】００１０
【補正方法】変更
【補正の内容】
【００１０】
また、請求項３に記載の発明は、請求項１又は請求項２に記載のネイルプリント装置において、
前記制御手段は、
前記第１の記憶部に記憶されている前記指爪画像の輪郭線の座標値と前記第２の記憶部に記憶されている指の輪郭線の座標値とが所定値以上ずれた場合であって、前記印刷可否判定手段により印刷対象である爪領域が前記印刷手段の印刷可能範囲内にあると判定されたときに、前記印刷可否判定手段により推定された爪領域の座標値に基づいて、前記爪領域の座標値に基づく印刷用データを補正するデータ補正手段を含み、
前記制御手段は、前記データ補正手段により補正された後の印刷用データに基づいて印刷を行うように前記印刷手段を制御することを特徴としている。
【手続補正３】
【補正対象書類名】明細書
【補正対象項目名】００１２
【補正方法】変更
【補正の内容】
【００１２】
また、請求項５に記載の印刷制御方法は、
指載置手段上に載置された指を撮影して指爪画像を得る撮影ステップと、
前記撮影ステップにおいて取得された前記指爪画像の輪郭線の座標値とこの指爪画像に含まれる爪領域の座標値とを対応付けて記憶する第１の記憶ステップと、
印刷手段により前記爪領域に印刷を施す印刷ステップと、
前記指載置手段上に載置された指の輪郭線を指の非印刷側から検出する指位置検出ステップと、
前記指位置検出ステップにおいて検出された指の輪郭線の座標値を記憶する第２の記憶ステップと、
前記第１の記憶ステップにおいて記憶された前記指爪画像の輪郭線の座標値と前記第２の記憶ステップにおいて記憶された指の輪郭線の座標値とを比較して、両者が所定値以上ずれた場合には印刷の開始・続行ができないと判定する印刷可否判定ステップと、
前記印刷可否判定ステップにおいて印刷の開始・続行ができないと判定された場合に、前記印刷手段による前記爪領域への印刷を停止させる印刷制御ステップと、
を含んでいることを特徴とする。
【手続補正４】
【補正対象書類名】明細書
【補正対象項目名】００１４
【補正方法】変更
【補正の内容】
【００１４】
また、請求項７に記載の発明は、請求項５又は請求項６に記載の印刷制御方法において、
前記印刷制御ステップは、
前記第１の記憶ステップにおいて記憶された前記指爪画像の輪郭線の座標値と前記第２の記憶ステップにおいて記憶された指の輪郭線の座標値とが所定値以上ずれた場合であって、前記印刷可否判定ステップにおいて印刷対象である爪領域が前記印刷手段の印刷可能範囲内にあると判定されたときに、前記印刷可否判定ステップおいて推定された爪領域の座標値に基づいて、前記爪領域の座標値に基づく印刷用データを補正するデータ補正ステップを含み、
前記印刷制御ステップは、前記データ補正ステップにおいて補正された後の印刷用データに基づいて印刷を行うように前記印刷手段を制御することを特徴としている。
【手続補正５】
【補正対象書類名】特許請求の範囲
【補正対象項目名】全文
【補正方法】変更
【補正の内容】
【特許請求の範囲】
【請求項１】
指が載置される指載置手段と、
この指載置手段上に載置された指を撮影して指爪画像を得る撮影手段と、
この撮影手段によって取得された前記指爪画像の輪郭線の座標値とこの指爪画像に含まれる爪領域の座標値とを対応付けて記憶する第１の記憶部と、
前記爪領域に印刷を施す印刷手段と、
前記指載置手段上に載置された指の輪郭線を指の非印刷側から検出する指位置検出手段と、
前記指位置検出手段によって検出された指の輪郭線の座標値を記憶する第２の記憶部と、
前記印刷手段による前記爪領域への印刷を制御する制御手段と、を備えており、
前記制御手段は、
前記第１の記憶部に記憶されている前記指爪画像の輪郭線の座標値と前記第２の記憶部に記憶されている指の輪郭線の座標値とを比較して、両者が所定値以上ずれたか否かを判定する印刷可否判定手段を含み、
前記制御手段は、前記印刷可否判定手段により両者が所定値以上ずれたと判定された場合に、前記印刷手段による前記爪領域への印刷を停止させることを特徴とするネイルプリント装置。
【請求項２】
前記印刷可否判定手段は、
前記第１の記憶部に記憶されている前記指爪画像の輪郭線の座標値と前記第２の記憶部に記憶されている指の輪郭線の座標値とが所定値以上ずれた場合に、前記第２の記憶部に記憶されている指の輪郭線の座標値に対応する爪領域の座標値を推定し、推定された爪領域の座標値から、印刷対象である爪領域が前記印刷手段の印刷可能範囲内にあるか否かを判定し、
前記制御手段は、前記印刷可否判定手段により印刷対象である爪領域が前記印刷手段の印刷可能範囲内にないと判定されたときは、前記印刷手段による印刷を中止させることを特徴とする請求項１に記載のネイルプリント装置。
【請求項３】
前記制御手段は、
前記第１の記憶部に記憶されている前記指爪画像の輪郭線の座標値と前記第２の記憶部に記憶されている指の輪郭線の座標値とが所定値以上ずれた場合であって、前記印刷可否判定手段により印刷対象である爪領域が前記印刷手段の印刷可能範囲内にあると判定されたときに、前記印刷可否判定手段により推定された爪領域の座標値に基づいて、前記爪領域の座標値に基づく印刷用データを補正するデータ補正手段を含み、
前記制御手段は、前記データ補正手段により補正された後の印刷用データに基づいて印刷を行うように前記印刷手段を制御することを特徴とする請求項１又は請求項２に記載のネイルプリント装置。
【請求項４】
前記印刷可否判定手段により印刷対象である爪領域が前記印刷手段の印刷可能範囲内にないと判定されたときに、その旨を報知する報知手段を備えていることを特徴とする請求項２に記載のネイルプリント装置。
【請求項５】
指載置手段上に載置された指を撮影して指爪画像を得る撮影ステップと、
前記撮影ステップにおいて取得された前記指爪画像の輪郭線の座標値とこの指爪画像に含まれる爪領域の座標値とを対応付けて記憶する第１の記憶ステップと、
印刷手段により前記爪領域に印刷を施す印刷ステップと、
前記指載置手段上に載置された指の輪郭線を指の非印刷側から検出する指位置検出ステップと、
前記指位置検出ステップにおいて検出された指の輪郭線の座標値を記憶する第２の記憶ステップと、
前記第１の記憶ステップにおいて記憶された前記指爪画像の輪郭線の座標値と前記第２の記憶ステップにおいて記憶された指の輪郭線の座標値とを比較して、両者が所定値以上ずれた場合には印刷の開始・続行ができないと判定する印刷可否判定ステップと、
前記印刷可否判定ステップにおいて印刷の開始・続行ができないと判定された場合に、前記印刷手段による前記爪領域への印刷を停止させる印刷制御ステップと、
を含んでいることを特徴とする印刷制御方法。
【請求項６】
前記印刷可否判定ステップは、
前記第１の記憶ステップにおいて記憶された前記指爪画像の輪郭線の座標値と前記第２の記憶ステップにおいて記憶された指の輪郭線の座標値とが所定値以上ずれた場合に、前記第２の記憶ステップにおいて記憶された指の輪郭線の座標値に対応する爪領域の座標値を推定し、推定された爪領域の座標値から、印刷対象である爪領域が前記印刷手段の印刷可能範囲内にあるか否かを判定するステップを含み、
前記印刷制御ステップは、前記印刷可否判定ステップにおいて印刷対象である爪領域が前記印刷手段の印刷可能範囲内にないと判定されたときは、前記印刷手段による印刷を中止させることを特徴とする請求項５に記載の印刷制御方法。
【請求項７】
前記印刷制御ステップは、
前記第１の記憶ステップにおいて記憶された前記指爪画像の輪郭線の座標値と前記第２の記憶ステップにおいて記憶された指の輪郭線の座標値とが所定値以上ずれた場合であって、前記印刷可否判定ステップにおいて印刷対象である爪領域が前記印刷手段の印刷可能範囲内にあると判定されたときに、前記印刷可否判定ステップおいて推定された爪領域の座標値に基づいて、前記爪領域の座標値に基づく印刷用データを補正するデータ補正ステップを含み、
前記印刷制御ステップは、前記データ補正ステップにおいて補正された後の印刷用データに基づいて印刷を行うように前記印刷手段を制御することを特徴とする請求項５又は請求項６に記載の印刷制御方法。
【請求項８】
指が載置される指載置手段と、
この指載置手段上に載置された指を撮影して指爪画像を得る撮影手段と、
この撮影手段によって取得された前記指爪画像の輪郭線の座標値とこの指爪画像に含まれる爪領域の座標値とを対応付けて記憶させる第１の記憶制御手段と、
この第１の記憶制御手段の制御により前記指爪画像の輪郭線の座標値と前記爪領域の座標値とを対応付けて記憶させたあとに、前記指載置手段上に載置された指の位置を検出する指位置検出手段と、
前記指位置検出手段によって検出された指の輪郭線の座標値を記憶させる第２の記憶制御手段と、
この第２の記憶制御手段の制御により記憶されている前記指の輪郭線の座標値と前記第１の記憶制御手段の制御により記憶された前記第１の記憶部に記憶されている前記指爪画像の輪郭線の座標値とを比較して、両者が所定値以上ずれたか否かを判定する印刷可否判定手段と、
この印刷可否判定手段により両者が所定値以上ずれたと判定された場合には、前記指載置手段上に載置された指の爪領域への印刷を停止し、両者が所定値以上ずれていないと判定された場合には、前記指載置手段上に載置された指の爪領域への印刷を施すように制御する印刷制御手段と、
を備えていることを特徴とするネイルプリント装置。
【請求項９】
指が載置される指載置手段と、この指載置手段上に載置された指を撮影して指爪画像を得る撮影手段とを備えているネイルプリント装置に用いられる印刷制御方法において、
前記撮影手段によって取得された前記指爪画像の輪郭線の座標値とこの指爪画像に含まれる爪領域の座標値とを対応付けて記憶させる第１の記憶制御ステップと、
この第１の記憶制御ステップの制御により前記指爪画像の輪郭線の座標値と前記爪領域の座標値とを対応付けて記憶させたあとに、前記指載置手段上に載置された指の位置を検出する指位置検出ステップと、
前記指位置検出ステップによって検出された指の輪郭線の座標値を記憶させる第２の記憶制御ステップと、
この第２の記憶制御ステップの制御により記憶されている前記指の輪郭線の座標値と前記第１の記憶制御ステップの制御により記憶された前記第１の記憶部に記憶されている前記指爪画像の輪郭線の座標値とを比較して、両者が所定値以上ずれたか否かを判定する印刷可否判定ステップと、
この印刷可否判定ステップにより両者が所定値以上ずれたと判定された場合には、前記指載置手段上に載置された指の爪領域への印刷を停止し、両者が所定値以上ずれていないと判定された場合には、前記指載置手段上に載置された指の爪領域への印刷を施すように制御する印刷制御ステップと、
を備えていることを特徴とする印刷制御方法。